(57)【要約】【課題】エントランスユニットにおいて、設計上の自由度を高めると共に、全体としての必要光量を減らして消費電力を抑制し、さらに、各玄関先機能部を分離状に配置する場合であっても、優れた統一感を発揮できるようにする。【解決手段】複数種類の玄関先機能部（照明部１０、インターホン部２０、新聞受け部３０）を組み合せて構成されるエントランスユニット１であって、該エントランスユニット１の各玄関先機能部に、発光ダイオードを光源として発光する個別発光部１６、２３、３４をそれぞれ設け、該個別発光部１６、２３、３４の発光により、各玄関先機能部の存在を認識させる。【選択図】図１
2007308907.tif 000002
【特許請求の範囲】
【請求項１】
複数種類の玄関先機能部を組み合せて構成されるエントランスユニットであって、該エントランスユニットの各玄関先機能部に、発光ダイオードを光源として発光する個別発光部をそれぞれ設け、該個別発光部の発光により、各玄関先機能部の存在を認識させることを特徴とするエントランスユニット。
【請求項２】
前記各玄関先機能部のうち、照明部前面に配置される装飾パネルをブラケットにより支持し、前記装飾パネルとブラケットとの取付面に透光性の発光窓を設け、前記発光ダイオードの発光を、発光窓を介して外部から視認させることを特徴とする請求項１記載のエントランスユニット。
【請求項３】
前記各玄関先機能部のうち、新聞受け部及び／又は郵便受け部前面に配置される装飾パネルを受けベースにより支持し、前記装飾パネルと受けベースとの取付面に透光性の発光窓を設け、前記発光ダイオードの発光を、発光窓を介して外部から視認させることを特徴とする請求項１記載のエントランスユニット。
【請求項４】
前記各玄関先機能部は、建物又は門柱の壁面部に分離状態で取付けられ、前記各個別発光部は、同色で発光することを特徴とする請求項１〜３のいずれかに記載のエントランスユニット。
【請求項５】
前記各玄関先機能部には、照明部、表札部、インターホン部、新聞受け部及び／又は郵便受け部が含まれることを特徴とする請求項１〜４のいずれかに記載のエントランスユニット。
【発明の詳細な説明】
【技術分野】
【０００１】
本発明は、照明部、表札部、インターホン部、新聞受け部、郵便受け部等の玄関先機能部を組み合せて構成されるエントランスユニットに係り、特に、建物又は門柱の壁面部に、各玄関先機能部を分離状に取付けて構成される分離型のエントランスユニットに関する。
【背景技術】
【０００２】
近年、照明部、表札部、インターホン部、新聞受け部、郵便受け部等の玄関先機能部を組み合せて構成されるエントランスユニットが普及している（例えば、特許文献１参照）。この種のエントランスユニットとしては、建物又は門柱の壁面部に、各玄関先機能部を分離状に取付けて構成される分離型や、各玄関先機能部を専用の支持部材に一体的に組み付けて構成される一体型があり、一体型のエントランスユニットとしては、ポール形状のものや、ボックス形状のものが知られている。
【０００３】
このようなエントランスユニットでは、通常、最上部に照明部が配置されている。これは、エントランスユニットを玄関照明として機能させるだけでなく、照明部以外の各玄関先機能部を照らし、夜間でも各玄関先機能部の存在を容易に認識できるようにするためでもある。
しかしながら、エントランスユニットの最上部に配置される照明部によって、その下方に配置される他の玄関先機能部を照らすには、照明部を他の玄関先機能部よりも前方に突出させたり、照明部の光を下方に反射させる反射板が必要になる等の制約が生じるため、エントランスユニットの設計上の自由度が著しく低下してしまうという問題があった。
また、夜間でも存在を容易に認識できる程度に各玄関先機能部を照らす場合には、照明部において所定以上の光量を維持し続ける必要があるため、消費電力が増加するだけでなく、過剰な光量によって周辺環境を損なう可能性がある。特に、各玄関先機能部を分離状に取付けて構成される分離型のエントランスユニットでは、各玄関先機能部の配置の自由度が高いため、照明部の光量を多くしないと、夜間における各玄関先機能部の認識が難しくなる可能性があるだけでなく、エントランスユニットとしての統一感が失われるという問題もある。
【特許文献１】特開平０８−２９４４４３号公報
【発明の開示】
【発明が解決しようとする課題】
【０００４】
本発明は、上記の如き問題点を一掃すべく創案されたものであって、エントランスユニットを構成する照明部の光で、他の玄関先機能部の存在を認識させるのではなく、各玄関先機能部に設けた発光ダイオード（個別発光部）の発光で、各玄関先機能部の存在を認識させることにより、設計上の自由度を高めることができるだけでなく、全体としての必要光量を減らして消費電力が抑制でき、しかも、各玄関先機能部を分離状に配置する場合であっても、優れた統一感を発揮できるエントランスユニットの提供を目的とする。
【課題を解決するための手段】
【０００５】
上記課題を解決するために本発明のエントランスユニットは、複数種類の玄関先機能部を組み合せて構成されるエントランスユニットであって、該エントランスユニットの各玄関先機能部に、発光ダイオードを光源として発光する個別発光部をそれぞれ設け、該個別発光部の発光により、各玄関先機能部の存在を認識させることを特徴とするものである。
【発明の効果】
【０００６】
本発明は、上記のように構成したことにより、エントランスユニットを構成する照明部の光で、他の玄関先機能部の存在を認識させるのではなく、各玄関先機能部に設けた発光ダイオード（個別発光部）の発光で、各玄関先機能部の存在を認識させるので、エントランスユニットの設計上の自由度を高めることができるだけでなく、全体としての必要光量を減らして消費電力が抑制でき、しかも、各玄関先機能部を分離状に配置する分離型のエントランスユニットにおいては、優れた統一感を発揮することが可能になる。
【発明を実施するための最良の形態】
【０００７】
以下、本発明の実施の形態を好適な実施の形態として例示するエントランスユニットを図面に基づいて詳細に説明する。図１はエントランスユニットの全体正面図、図２の（Ａ）は照明部の正面図、（Ｂ）は照明部の平面図、（Ｃ）は照明部の側面図、図３の（Ａ）はインターホン部の正面図、（Ｂ）はインターホン部の側面図、図４の（Ａ）は新聞受け部の正面図、（Ｂ）は新聞受け部の側面図である。
【０００８】
図１において、１は複数種類の玄関先機能部を組み合せて構成されるエントランスユニットであって、本実施形態のエントランスユニット１は、建物又は門柱の壁面部に、各玄関先機能部を分離状に取付けて構成される分離型であり、各玄関先機能部としては、図１〜図４に示す、照明部１０、インターホン部２０、新聞受け部３０の他に、図示しない、表札部、郵便受け部等を予め用意し、これらの中から任意のものを選択して組み合せることができる。
【０００９】
照明部１０は、電灯１１及びそのソケット１２が設けられた壁面埋設型の照明ベース１３と、該照明ベース１３の上端部から前方に延出するブラケット１４と、該ブラケット１４の前端部から下方に延出するグリーンガラス等からなる透光性の装飾パネル１５と、ブラケット１４の前端部に設けられる個別発光部１６とを備えて構成されており、電灯１１の発光により玄関照明として機能するようになっている。
【００１０】
個別発光部１６は、透光性の発光窓１６ａと、その裏側に設けられる一又は複数の発光ダイオード（図示せず）とを備えて構成されており、発光ダイオードの発光を、発光窓１６ａを介して外部から視認させる。例えば、本実施形態では、スリット形状に形成される左右一対の発光窓１６ａをブラケット１４の前端取付け面に並列状に設け、これらの発光窓１６ａを介して発光ダイオードの発光を外部から視認させる。これにより、電灯１１の光量が抑えられた状態や、電灯１１が消灯した状態であっても、照明部１０の存在を個別発光部１６の発光により認識させることが可能になる。
【００１１】
インターホン部２０は、図示しないインターホン装置（子機）が内装される箱状のインターホンベース２１と、該インターホンベース２１の前面を覆う装飾パネル２２と、装飾パネル２２の左右両端部に設けられる個別発光部２３とを備えて構成されている。装飾パネル２２には、インターホン装置のボタン操作用の孔２２ａや、音声伝達用の孔２２ｂが穿設されており、孔２２ａを介したインターホン装置の操作により、室内側に設置される親機との通話が可能になる。
【００１２】
個別発光部２３は、透光性の発光窓２３ａと、その裏側に設けられる一又は複数の発光ダイオード（図示せず）とを備えて構成されており、発光ダイオードの発光を、発光窓２３ａを介して外部から視認させる。例えば、本実施形態では、スリット形状に形成される左右一対の発光窓２３ａを装飾パネル２２の左右両端部に並列状に設け、これらの発光窓２３ａを介して発光ダイオードの発光を外部から視認させる。これにより、照明部１０において電灯１１の光量が抑えられた状態や、電灯１１が消灯した状態であっても、インターホン部２０の存在を個別発光部２３の発光により認識させることが可能になる。
【００１３】
また、インターホン部２０に設けられる個別発光部２３の発光色は、照明部１０に設けられる個別発光部１６の発光色と同色であることが好ましい。例えば、照明部１０及びインターホン部２０の個別発光部１６、２３に青色発光ダイオードを内装し、いずれも青色で発光させる。このようにすると、エントランスユニット１の各玄関先機能部をより容易に認識できるようになるだけでなく、照明部１０及びインターホン部２０に良好な統一感を付与することが可能になる。
【００１４】
新聞受け部３０は、壁面に取付けられる左右一対の上部新聞受けベース３１と、該上部新聞受けベース３１の下方で壁面に取付けられる下部新聞受けベース３２と、上部新聞受けベース３１及び下部新聞受けベース３２の前端部に固定される装飾パネル３３と、下部新聞受けベース３２の前端部に設けられる個別発光部３４とを備えて構成されており、左右の上部新聞受けベース３１間から投入された新聞を、下部新聞受けベース３２及びグリーンガラス等からなる透光性の装飾パネル３３で囲まれた空間で受け止める構成となっている。
【００１５】
個別発光部３４は、透光性の発光窓３４ａと、その裏側に設けられる一又は複数の発光ダイオード（図示せず）とを備えて構成されており、発光ダイオードの発光を、発光窓３４ａを介して外部から視認させる。例えば、本実施形態では、スリット形状に形成される左右一対の発光窓３４ａを下部新聞受けベース３２の前端取付け面に並列状に設け、これらの発光窓３４ａを介して発光ダイオードの発光を外部から視認させる。これにより、照明部１０において電灯１１の光量が抑えられた状態や、電灯１１が消灯した状態であっても、新聞受け部３０の存在を個別発光部２３の発光により認識させることが可能になる。
【００１６】
また、新聞受け部３０に設けられる個別発光部３４の発光色は、照明部１０及びインターホン部２０に設けられる個別発光部１６、２３の発光色と同色であることが好ましい。このようにすると、エントランスユニット１の各玄関先機能部をより容易に認識できるようになるだけでなく、照明部１０、インターホン部２０及び新聞受け部３０に良好な統一感を付与することが可能になる。
【００１７】
叙述の如く構成された本発明の実施の形態において、エントランスユニット１は、照明部１０、インターホン部２０、新聞受け部３０等の各種玄関先機能部を組み合せて構成されるのであるが、エントランスユニット１の各玄関先機能部には、発光ダイオードを光源として発光する個別発光部１６、２３、３４がそれぞれ設けられているので、個別発光部１６、２３、３４の発光により、各玄関先機能部の存在を認識することが可能になる。すなわち、エントランスユニット１を構成する照明部１０の光で、他の玄関先機能部の存在を認識させるのではなく、各玄関先機能部に設けた発光ダイオード（個別発光部１６、２３、３４）の発光で、各玄関先機能部の存在を認識させることにより、照明部１０の形状や配置に関する制約を減らし、設計上の自由度を高めることができるだけでなく、全体としての必要光量を減らして消費電力が抑制できる。
【００１８】
しかも、個別発光部１６、２３、３４の発光は、各玄関先機能部間に統一感を付与するので、各玄関先機能部を分離状に配置する分離型のエントランスユニット１でおいても、優れた統一感を発揮でき、特に、各玄関先機能部に設けられる個別発光部１６、２３、３４の発光色を同色とした場合には、各玄関先機能部間に極めて良好な統一感を付与することができる。
【００１９】
また、照明部１０の前面に配置される装飾パネル１５をブラケット１４により支持し、または、新聞受け部及び／又は郵便受け部前面に配置される装飾パネル３３を受けベース（下部新聞受けベース）３２により支持することで、前記装飾パネル１５，３３と前記ブラケット１４または受けベース３２との取付面に透光性の発光窓１６ａ、３４ａを設け、発光ダイオードの発光を、発光窓１６ａ、３４ａを介して外部から視認させるように構成してあるので、取付けビスなどの固着具や発光ダイオード本体を覆い隠すことができ、透光性パネルを用いても発光ダイオード本体や配線が透けて見えてしまうことが無く、装飾パネル１５，３３の取付面以外の面域外観を損なうことがない。
【００２０】
尚、本発明は、前記実施形態に限定されないものであることは勿論であって、特許請求の範囲に含まれる限り、様々な変更や追加ができることは言うまでもない。例えば、前記実施形態では、各玄関先機能部を建物又は門柱の壁面部に分離状態で取付ける分離型のエントランスユニットを例示して、本発明の構成及び効果を説明したが、各玄関先機能部を専用の支持部材に一体的に組み付けて構成される一体型のエントランスユニットにおいても、本発明を良好に実施することができる。
また、前記実施形態では、玄関先機能部として、照明部１０、インターホン部２０、新聞受け部３０を例示したが、表札部、郵便受け部等のその他の玄関先機能部においても、本発明を良好に実施することができる。
【図面の簡単な説明】
【００２１】
【図１】エントランスユニットの全体正面図である。
【図２】（Ａ）は照明部の正面図、（Ｂ）は照明部の平面図、（Ｃ）は照明部の側面図である。
【図３】（Ａ）はインターホン部の正面図、（Ｂ）はインターホン部の側面図である。
【図４】（Ａ）は新聞受け部の正面図、（Ｂ）は新聞受け部の側面図である。
【符号の説明】
【００２２】
１      エントランスユニット
１０    照明部
１１    電灯
１２    ソケット
１３    照明ベース
１４    ブラケット
１５    装飾パネル
１６    個別発光部
１６ａ  発光窓
２０    インターホン部
２１    インターホンベース
２２    装飾パネル
２２ａ  孔
２２ｂ  孔
２３    個別発光部
２３ａ  発光窓
３０    新聞受け部
３１    上部新聞受けベース
３２    下部新聞受けベース
３３    装飾パネル
３４    個別発光部
３４ａ  発光窓
【図１】
2007308907.tif 000003
【図２】
2007308907.tif 000004
【図３】
2007308907.tif 000005
【図４】
2007308907.tif 000006